(57)【特許請求の範囲】
【請求項１】
ロール状に巻かれたラップフィルムを収納する容器本体と、該容器本体の後面壁の頂縁から回動可能に連設されている蓋体とを備えるラップフィルム収納容器において、
前記容器本体の前面壁の表面であって、閉蓋状態において前記蓋体の前面壁が重なる部分に、ラップフィルムを剥離可能に保持することのできる第１の粘着層を設け、
前記蓋体の前面壁の裏面であって、閉蓋状態において前記容器本体上の前記第１の粘着層よりも前記蓋体の前面壁の先端縁側に、ラップフィルムを剥離可能に保持することのできる第２の粘着層を設け、開蓋時に、前記蓋体の移動に伴ってラップフィルムの先端部を前記容器本体の前面壁から浮き上がらせるようにしたことを特徴とするラップフィルム収納容器。
【請求項２】
ロール状に巻かれたラップフィルムを収納する容器本体と、該容器本体の後面壁の頂縁から回動可能に連設されている蓋体とを備えるラップフィルム収納容器において、
前記容器本体の前面壁の表面であって、閉蓋状態において前記蓋体の前面壁が重なる部分に、ラップフィルムを剥離可能に保持することのできる第１の粘着層を設け、
前記蓋体の前面壁の裏面に、ラップフィルムを剥離可能に保持することのでき且つ前記第１の粘着層よりも粘着力が強い第２の粘着層を設け、開蓋時に、前記蓋体の移動に伴ってラップフィルムの先端部を前記容器本体の前面壁から浮き上がらせるようにしたことを特徴とするラップフィルム収納容器。
【請求項３】
前記蓋体の前面壁の先端縁部にラップフィルム切断用のカッターが設けられていることを特徴とする請求項１又は２に記載のラップフィルム収納容器。
【発明の詳細な説明】
【０００１】
【発明の属する技術分野】
本発明は、ロール状に巻かれたラップフィルムを収納する容器に関する。
【０００２】
【従来の技術】
従来から種々の型式のラップフィルム収納容器が知られているが、その多くは厚紙製であり、ロール状に巻かれたラップフィルムを収納する容器本体と、この容器本体に一体的に設けられた蓋体とから構成されている。また、一般に、容器から引き出されたラップフィルムを切断するためのカッターが蓋体の前面壁の裏面に取り付けられている。
【０００３】
この種の容器を用いる場合、蓋体を持ち上げてラップフィルムの先端部を露出させる。そして、フィルム先端部を指で摘んで引き出した後、蓋体を閉じ、カッターにより引き出したラップフィルムを切断するのである。
【０００４】
ラップフィルムの切断後、容器に残ったラップフィルムの先端部は蓋体の前面壁と容器本体の前面壁との間に配置される。このフィルム先端部は、容器本体内に巻き戻り、ロール状ラップフィルムの外周面に密着してしまうことがある。かかる場合、フィルム先端部を摘み、容器本体から引き出すことは極めて困難となる。
【０００５】
このため、従来においては、容器本体の前面壁表面の上部に粘着層を形成し、フィルム先端部を剥離可能に保持してその巻戻りを防止するという手段が採用されている。
【０００６】
【発明が解決しようとする課題】
上述したようなラップフィルム収納容器は厚紙から形成され、その表面には、美観や触感を向上させるためにニスが塗布されている。このため、容器本体の前面壁の表面は平滑な面となっており、フィルム先端部全体が容器本体の前面壁に密着した状態となることがある。これは、巻戻り防止用の粘着層が容器本体に設けられている場合には、より顕著となる。
【０００７】
このようにフィルム先端部が容器本体に密着したときには、容器本体内に巻き戻った場合と同様、フィルム先端部を指で摘むことが困難となり、ラップフィルムの引出しに手間がかかるという問題がある。
【０００８】
本発明は上記事情に鑑みてなされたものであり、その目的はラップフィルムの引出しを容易に行うことができるラップフィルム収納容器を提供することにある。
【０００９】
【課題を解決するための手段】
上記目的を達成するために、本発明は、ロール状に巻かれたラップフィルムを収納する容器本体と、該容器本体の後面壁の頂縁から回動可能に連設されている蓋体とを備えるラップフィルム収納容器において、容器本体の前面壁の表面であって、閉蓋状態において蓋体の前面壁が重なる部分に、ラップフィルムを剥離可能に保持することのできる第１の粘着層を設け、また、蓋体の前面壁の裏面であって、閉蓋状態において容器本体上の第１の粘着層よりも蓋体の前面壁の先端縁側に、ラップフィルムを剥離可能に保持することのできる第２の粘着層を設け、開蓋時に、前記蓋体の移動に伴ってラップフィルムの先端部を前記容器本体の前面壁から浮き上がらせるようにしたことを特徴としている。また、本発明の別の態様によれば、ロール状に巻かれたラップフィルムを収納する容器本体と、該容器本体の後面壁の頂縁から回動可能に連設されている蓋体とを備えるラップフィルム収納容器において、容器本体の前面壁の表面であって、閉蓋状態において前記蓋体の前面壁が重なる部分に、ラップフィルムを剥離可能に保持することのできる第１の粘着層を設け、蓋体の前面壁の裏面に、ラップフィルムを剥離可能に保持することのでき且つ第１の粘着層よりも粘着力が強い第２の粘着層を設け、開蓋時に、蓋体の移動に伴ってラップフィルムの先端部を容器本体の前面壁から浮き上がらせるようにしたことを特徴としている。
【００１０】
上記構成により、容器本体に巻戻り防止用の第１の粘着層が設けられていても、開蓋操作のみでラップフィルムの先端部、すなわち指で摘む部分を容器本体から浮き上がらせることができ、フィルムの引出しが容易となる。
【００１１】
また、蓋体の前面壁の先端縁部にラップフィルム切断用のカッターが取り付けられている容器の場合、蓋体裏面の粘着層が切断時の滑り止めとして機能し、ラップフィルムに傷や皺が形成されるのを防止することができる。
【００１２】
【発明の実施の形態】
以下、図面を参照して本発明の好適な実施形態について詳細に説明する。なお、全図を通し、同一又は相当部分には同一符号を付する。
【００１３】
図１及び図２は、本発明に従ったラップフィルム収納容器を示す斜視図であり、図１は開蓋状態、図２は閉蓋状態を示す図である。図示のラップフィルム収納容器１０は、１枚の厚紙、好ましくはコートボール紙から作られており、円筒状の紙管１２にロール状に巻き付けられたラップフィルム１４を収納するための容器本体１６と、この容器本体１６に一体的に連設された蓋体１８とから構成されている。閉蓋状態の容器１０の全体形状は略直方体形状をなす。
【００１４】
容器本体１６の上部は、ラップフィルム１４を引き出すための開口部として開放されている。また、蓋体１８は、容器本体１６の後面壁２０の頂縁から連続して延び、容器本体１６に対して回動可能であり、容器本体１６の開口部を覆うことができるよう構成されている。蓋体１８の前面壁（以下「蓋体前面壁」という）２２の裏面には、引き出されたラップフィルム１４を切断するための鋸刃状のカッター２４が取り付けられている。図示実施形態においては、蓋体前面壁２２の先端縁はＶ字状をなし、その形状に合わせてカッター２４もＶ字状のものが用いられている。このようなＶ字状カッター２４を採用した容器１０の場合、図２に示すように、右手でフィルム先端部を把持し、左手の親指を蓋体前面壁２２の中央部にあてがった状態で容器１０を左手で握り、容器１０を前側、すなわち矢印Ａの方向にひねるのが、最も効率的なラップフィルム１４の切断方法となる。
【００１５】
なお、図示しないが、使用開始前にあっては、蓋体前面壁２２には開封片がミシン目を介して連設されており、容器本体１６の前面壁（以下「本体前面壁」という）２６の表面に接着されている。この開封片により容器１０の封緘がなされ、カッター２４の刃が露出するのを防いでいる。使用時、開封片は除去される。
【００１６】
本体前面壁２６の表面には、ラップフィルム１４の巻戻りを防止するための粘着層２８が設けられている。粘着層２８は、ラップフィルム１４の切断直後にフィルム先端部を剥離可能に保持することができるよう、閉蓋状態では蓋体前面壁２２により覆われる位置に形成されている。図示実施形態の容器１０では、蓋体前面壁２２の中央部を押さえながらラップフィルム１４を切断するため、粘着層２８は、少なくとも、本体前面壁２６の中央部に設けることが好ましく、図示実施形態では、巻戻り防止効果を高めるために、中央部の粘着層２８の両側にも粘着層２８が形成されている。また、フィルム先端部がその端縁まで粘着層２８に接していると、フィルム先端部を指で摘むことが困難となるため、粘着層２８は本体前面壁２６の上縁の近傍に設けられている。
【００１７】
粘着層２８は、その表面がラップフィルム１４に対して一定の粘着性を有していることが最低条件となり、合成樹脂を塗布、硬化させたものや、表面が粘着性を有するシールを貼り付けて成るもの等、色々考えられるが、好ましい形態としては、特開平１０−３５６５７号公報に開示されたものがある。これは、ポリウレタン系プレポリマーから成る硬化性粘着成分と非反応性アクリル樹脂から成る粘着性制御成分とを含む組成物を本体前面壁２６の表面に塗布し、加熱乾燥等により硬化させたものである。ポリウレタン系プレポリマーは、硬化に際して架橋剤や硬化剤が不要であるため、通常のグラビア印刷機等を用いて容易に粘着層を形成することができるという利点を有している。
【００１８】
更に、蓋体前面壁２２の裏面にも粘着層３０が形成されている。この粘着層３０は、閉蓋状態において、本体前面壁２６の粘着層２８よりも下方、すなわちカッター２４の刃先に近い領域まで延びている。粘着層３０の数や大きさ、位置等については、以下で述べる作用効果を奏する限り適宜定めることができるが、図示実施形態では、蓋体前面壁２２の中央部であって、紙の部分に配設されている。この粘着層３０もシール式等、色々な形態が考えられるが、本体前面壁２６の粘着層２８と同様に、ポリウレタン系プレポリマーから成る硬化性粘着成分と非反応性アクリル樹脂から成る粘着性制御成分とを含む組成物を塗布して硬化させたものが、製造効率を考慮した場合、好適である。
【００１９】
次に、上記構成において、ラップフィルム１４を引き出して切断する場合の容器１０の作用について、図３を参照して説明する。なお、ラップフィルム１４を引き出す前の状態は、ラップフィルム１４が切断された直後の状態とする。この状態は図３の（ａ）に示す閉蓋状態であり、ラップフィルム１４の先端部は本体前面壁２６と蓋体前面壁２２との間に配置されている。また、フィルム先端部は、本体前面壁２６の粘着層２８に接し保持され、且つ、蓋体前面壁２２の粘着層３０にも接して保持されている。これは、ラップフィルム１４を切断する際、蓋体前面壁２２の中央部を指で押さえ付けるため、ラップフィルム１４が本体前面壁２６と蓋体前面壁２２との間で挟まれ粘着層２８，３０に密着するからである。
【００２０】
このような閉蓋状態の容器１０からラップフィルム１４を引き出す場合、まず、蓋体１８を上方に回動させる。図３の（ｂ）は、蓋体１８の回動の初期段階を示している。この図から理解されるように、蓋体１８が僅かに持ち上げられると、ラップフィルム１４の先端部が蓋体前面壁２２の粘着層３０に保持されているので、蓋体前面壁２２の上方移動に伴って、フィルム先端部も上方に移動する。これにより、フィルム先端部の端縁は本体前面壁２６から浮き上がる。かかる作用は、閉蓋状態（図３の（ａ）の状態）において粘着層３０の一部が粘着層２８よりも下方に配置されていることから生ずるものであるが、粘着層２８の粘着力よりも粘着層３０の粘着力を高めた場合には、その位置に拘わらず同様な作用効果を期待することができる。
【００２１】
更に蓋体１８を回動させると、蓋体前面壁２２の粘着層３０に付着しているラップフィルム１４の部分が本体前面壁２６の粘着層２８よりも上方に移動していく。この時、粘着層２８，３０の粘着力や面積等の種々の条件を適宜定めることにより、フィルム先端部は蓋体前面壁２２の粘着層３０に保持されたまま、本体前面壁２６の粘着層２８から徐々に剥離されていく。
【００２２】
図３の（ｃ）に示すように、蓋体１８を十分に開くと、フィルム先端部は粘着層３０からも剥離し、容器本体１６及び蓋体１８から分離される。かかる状態では、フィルム先端部を容易に指で摘むことが可能となることは明らかであろう。
【００２３】
フィルム先端部を把持したならば、本体前面壁２６に対してほぼ直角の方向にラップフィルム１４を所望の長さだけ引き出す。そして、前述したように、蓋体１８を閉じ、容器１０を持っている手の親指で蓋体前面壁２２の中央部を押さえ、容器１０を前方にひねってカッター２４によりラップフィルム１４を切断する。この時、カッター２４がＶ字状であるため、ラップフィルム１４の中央部から切断が開始される。この切断開始点の近傍のラップフィルム１４は蓋体前面壁２２の粘着層３０により保持されるため、カッター２４の刃をラップフィルム１４に食い込ませる前にラップフィルム１４が滑るのを防止することができ、切断を確実に行うことができる。
【００２４】
以上、本発明の好適な実施形態について詳細に説明したが、本発明は上記実施形態に限定されないことは言うまでもない。
【００２５】
例えば、上記実施形態では、フィルム先端部は本体前面壁２６の粘着層２８から剥離した後に蓋体前面壁２２の粘着層３０から剥離するようになっているが、逆に、蓋体前面壁２２の粘着層３０から剥離するようにしてもよい。これは、粘着層２８，３０の粘着力、数、面積、位置等の条件を適宜定めることにより達成される。蓋体前面壁２２の粘着層３０は、本体前面壁２６に密着しているフィルム先端部を開蓋の際に持ち上げることを主目的として設けられているため、粘着層２８よりも先に粘着層３０からフィルム先端部が剥離したとしても、開蓋時にフィルム先端部が本体前面壁２６から浮き上がった状態となっていれば、本発明の目的を達成したことになる。
【００２６】
また、上記実施形態では、本体前面壁２６に粘着層２８を有しているが、このような粘着層２８を有していない容器であっても本発明は適用可能である。すなわち、本体前面壁２６に粘着層がなくても、前面壁２６の表面の平滑性によりラップフィルム１４が密着することがあるので、蓋体前面壁２２の裏面に粘着層３０を設けることを特徴とする本発明によれば、開蓋時にフィルム先端部を本体前面壁２６から浮き上がらせ、ラップフィルム１４の把持を容易化することができる。
【００２７】
更に、カッターの形状はＶ字状である必要もなく、カッターの取付位置が容器本体の底面部であるタイプの容器にも本発明を適用することが可能である。
【００２８】
更にまた、上記の粘着層は上記実施形態以外にも、例えば、２種類若しくはそれ以上のポリウレタン系プレポリマーの混合物の硬化物、架橋性硬化ニスの塗布層の架橋硬化物、エチレン−酢酸ビニル共重合体に対し塩化ビニルモノマーをグラフト重合させたグラフト共重合体、そのグラフト共重合体に例えばメチルメタクリレート系樹脂等のアクリル系樹脂が添加されたもの、感圧粘着剤層、合成樹脂薄膜、極く弱い可剥離性の接着剤、滑らかな印刷面、滑らかに紙面、滑らかな糊面、滑らかなフィルム面等、ラップフィルムと面接触する材質のものであればどのような形態であってもよい。なお、粘着層２８を有している容器の場合、粘着層３０は、粘着層２８と同じ成分の形態でも、異なる成分の形態でもどちらでもよい。
【００２９】
【発明の効果】
以上述べたように、本発明によれば、ラップフィルム収納容器の本体前面壁の表面に密着したラップフィルムの先端部を、蓋体を開けるだけの操作で、本体前面壁から浮き上がらせることができ、ラップフィルムの引出しを容易に行うことが可能となる。
【００３０】
また、ラップフィルムを切断する際、蓋体前面壁の裏面の粘着層がラップフィルムの滑止めとなり、フィルム切断の確実化、容易化を可能とすると共に、ラップフィルムに傷や皺が形成されるのを防止することができる。
【図面の簡単な説明】
【図１】本発明によるラップフィルム収納容器の一実施形態を示す斜視図であり、開蓋状態を示す図である。
【図２】図１の容器の閉蓋状態を示す斜視図である。
【図３】（ａ）、（ｂ）及び（ｃ）はそれぞれ蓋体の各状態に対する粘着層とラップフィルムの関係を示す端面図である。
【符号の説明】
１０…ラップフィルム収納容器、１２…紙管、１４…ラップフィルム、１６…容器本体、１８…蓋体、２０…容器本体の後面壁、２２…蓋体の前面壁、２４…カッター、２６…容器本体の前面壁、２８…粘着層、３０…粘着層。
【図１】
0004231581.tif 000002
【図２】
0004231581.tif 000003
【図３】
0004231581.tif 000004